(57)【要約】【課題】対向機器と接続中において鳴動処理が発生した場合に、対向機器においても好適に鳴動処理を行うことができる情報処理装置を提供する。【解決手段】無線通信機能を有する対向機器と近距離無線通信を行う通信手段と、音声データを記憶する記憶手段と、音声データを鳴動させて鳴動処理を行う音声鳴動手段と、音声データの中から、所定の処理の発生時に音声鳴動手段により鳴動させる音声データを通知音として設定する設定手段と、所定の処理の発生時（ステップＳ１１）、対向機器との間で所定のプロファイルに基づく接続がなされていた場合（ステップＳ１２）、通知音が対向機器において再生可能かどうかを判定し（ステップＳ１３）、通知音が対向機器において再生可能であると判定された場合、通知音を対向機器に転送し鳴動処理を行わせる鳴動制御手段（ステップＳ１４）とを備えた。【選択図】  図６
2010068479.tif 000002
【特許請求の範囲】
【請求項１】
Ｂｌｕｅｔｏｏｔｈ（登録商標）通信機能を有する対向機器と所定のプロファイルでＢｌｕｅｔｏｏｔｈ通信を行う通信手段と、
音声データを記憶する記憶手段と、
前記音声データを鳴動させて鳴動処理を行う音声鳴動手段と、
前記対向機器で鳴動処理を行わせず、前記音声鳴動手段で鳴動処理を行わせる第１モードと、前記音声鳴動手段で鳴動処理を行わせず、前記対向機器で鳴動処理を行わせる第２モードと、前記音声鳴動手段および前記対向機器で鳴動処理を行わせる第３モードとの３つのモードを備え、通話着信の発生時、前記対向機器との間で前記通信手段によるＢｌｕｅｔｏｏｔｈ通信で接続がなされていた場合に行われる鳴動処理を、前記３つのモードの中から設定するモード設定手段と、
前記記憶手段に記憶された前記音声データの中から、通話着信の発生時に前記音声鳴動手段により鳴動させる音声データを通知音として設定する設定手段と、
前記通信手段で前記対向機器と特定のＢｌｕｅｔｏｏｔｈ通信のプロファイルに基づく接続がなされ、かつ前記モード設定手段により前記第２モードが設定されているときに音声着信が発生すると、前記設定手段により設定された前記通知音が前記対向機器において再生可能かどうかを判定し、前記通知音が前記対向機器において再生可能であると判定された場合に、前記通知音を前記対向機器に転送し鳴動処理を行わせる鳴動制御手段と
を備えたことを特徴とする情報処理装置。
【請求項２】
前記記憶手段に記憶された前記音声データには、前記対向機器において再生可能な音声データである代替音データが複数記憶されており、
前記鳴動制御手段は、前記通知音が前記対向機器において再生不可能であると判定された場合、前記記憶手段に記憶された前記代替音データを前記通知音の代替音として前記対向機器に転送し鳴動処理を行わせることを特徴とする請求項１に記載の情報処理装置。
【請求項３】
前記鳴動制御手段は、
前記通信手段で前記対向機器とＢｌｕｅｔｏｏｔｈ通信の第１のプロファイルに基づく接続がなされ、かつ前記モード設定手段により前記第３モードが設定されているときに通話着信が発生すると、前記音声鳴動手段に代替音を鳴動させて、かつ前記代替音データを前記通知音の代替音として前記対向機器に転送し鳴動処理を行わせるように制御し、
前記通信手段で前記対向機器とＢｌｕｅｔｏｏｔｈ通信の第１のプロファイルとは異なる第２のプロファイルに基づく接続がなされ、かつ前記モード設定手段により前記第３モードが設定されているときに通話着信が発生すると、前記音声鳴動手段に前記通知音を鳴動させて、かつ所定の代替音データを前記通知音の代替音として前記対向機器に転送し鳴動処理を行わせるように制御することを特徴とする請求項１または２に記載の情報処理装置。
【請求項４】
前記第１のプロファイルはＢｌｕｅｔｏｏｔｈ通信のＨＦＰプロファイルであり、前記第２のプロファイルはＢｌｕｅｔｏｏｔｈ通信のＡ２ＤＰプロファイルであることを特徴とする請求項３に記載の情報処理装置。
【請求項５】
前記鳴動制御手段は、
前記通信手段で前記対向機器とＢｌｕｅｔｏｏｔｈ通信の第１のプロファイルに基づく接続がなされ、かつ前記モード設定手段により前記第３モードが設定されているときに通話着信が発生すると、前記音声鳴動手段にＳＭＡＦファイル方式の代替音を鳴動させて、かつ前記ＳＭＡＦファイル方式の代替音データを前記通知音の代替音として前記対向機器に転送し鳴動処理を行わせることを特徴とする請求項３または４に記載の情報処理装置。
【発明の詳細な説明】
【技術分野】
【０００１】
本発明は、情報処理装置に係り、特に対向機器と近距離無線通信を行う近距離無線通信機能を備えた情報処理装置に関する。
【背景技術】
【０００２】
近年、オーディオデータの再生出力が可能な、携帯電話機などの情報処理装置が普及している。このような携帯電話機にてオーディオデータの再生を行う場合、ヘッドホンなどの出力機器を利用して、オーディオデータの音声の出力が行われる。ユーザは、ヘッドホンなどを利用することにより、電車の中や移動時においても周囲を意識せずオーディオデータを楽しむことができる。
【０００３】
携帯電話機に接続される出力機器には、ケーブルを用いて接続されるもの以外に、例えばＢｌｕｅｔｏｏｔｈ（ブルートゥース（登録商標））などの近距離無線通信方式を利用したヘッドセットや車載機などの対向機器が用いられている。このような対向機器は、携帯電話機とケーブルを用いて接続する必要がないため、ユーザにとって非常に利便性が高い。
【０００４】
対向機器は、携帯電話機との間で音声通話の発着信時における呼制御処理（接続要求、呼出、応答、通話、切断までの一連の処理）の実行が可能なプロファイルを利用することにより、携帯電話機を介してハンズフリー状態で通話することも可能であり、広く利用されている。
【０００５】
携帯電話機においては、対向機器に対してオーディオデータの再生中に通話着信が発生し得る。従来、携帯電話機と対向機器との接続中に着信動作が割り込んだ場合に、割り込んだ着信をユーザに容易に気付かせることができる技術が知られている（例えば、特許文献１参照。）。
【特許文献１】特開２００６−３１９５７２号公報
【発明の開示】
【発明が解決しようとする課題】
【０００６】
携帯電話機により通話着信時にスピーカなどを介して出力される着信音は、例えば携帯電話機に搭載されたメモリカードや携帯電話機本体に記憶された音声データの中から、ユーザにより選択されて設定される。携帯電話機は、記憶された音声データの中から、ユーザによる選択を受け付けた一の音声データを全ての通話着信に共通して設定することができる。また、携帯電話機は、通話着信の発信元や、予めアドレス帳に記憶されたグループ毎に異なる音声データを割り当てて設定することができる。このように、任意に着信音が設定されることにより、ユーザは携帯電話機のディスプレイを確認することなく発信者や発信者の所属するグループを確認することができる点で有効である。
【０００７】
特許文献１に開示された技術においては、携帯電話機が対向機器と接続中に音声着信が発生した場合、対向機器用に予め用意された着信音を再生することが考えられていた。すなわち、ユーザが任意に設定した着信音を、対向機器との接続中においても好適に再生を行うことは一切考慮されていなかった。このため、任意の着信音で着信通知を行いたいというユーザの意図は反映されていなかった。
【０００８】
本発明はこのような事情を考慮してなされたもので、対向機器と接続中において鳴動処理が発生した場合に、対向機器においても好適に鳴動処理を行うことができる情報処理装置を提供することを目的とする。
【課題を解決するための手段】
【０００９】
本発明に係る情報処理装置は、Ｂｌｕｅｔｏｏｔｈ（登録商標）通信機能を有する対向機器と所定のプロファイルでＢｌｕｅｔｏｏｔｈ通信を行う通信手段と、音声データを記憶する記憶手段と、前記音声データを鳴動させて鳴動処理を行う音声鳴動手段と、前記対向機器で鳴動処理を行わせず、前記音声鳴動手段で鳴動処理を行わせる第１モードと、前記音声鳴動手段で鳴動処理を行わせず、前記対向機器で鳴動処理を行わせる第２モードと、前記音声鳴動手段および前記対向機器で鳴動処理を行わせる第３モードとの３つのモードを備え、通話着信の発生時、前記対向機器との間で前記通信手段によるＢｌｕｅｔｏｏｔｈ通信で接続がなされていた場合に行われる鳴動処理を、前記３つのモードの中から設定するモード設定手段と、前記記憶手段に記憶された前記音声データの中から、通話着信の発生時に前記音声鳴動手段により鳴動させる音声データを通知音として設定する設定手段と、前記通信手段で前記対向機器と特定のＢｌｕｅｔｏｏｔｈ通信のプロファイルに基づく接続がなされ、かつ前記モード設定手段により前記第２モードが設定されているときに音声着信が発生すると、前記設定手段により設定された前記通知音が前記対向機器において再生可能かどうかを判定し、前記通知音が前記対向機器において再生可能であると判定された場合に、前記通知音を前記対向機器に転送し鳴動処理を行わせる鳴動制御手段とを備えたことを特徴とする。
【発明の効果】
【００１０】
本発明に係る情報処理装置は、対向機器と接続中において鳴動処理が発生した場合に、対向機器においても好適に鳴動処理を行うことができる。
【発明を実施するための最良の形態】
【００１１】
本発明に係る情報処理装置の実施形態を添付図面に基づいて説明する。図１は、本実施形態におけるシステムの構成を示すブロック図である。本発明に係る情報処理装置の一例としての携帯電話機１は、移動通信網２に収容された基地局（図示せず）との間で無線通信を行う機能を有する。携帯電話機１の近傍には、本発明に係る対向機器の一例としてのヘッドセット３が配置される。
【００１２】
ヘッドセット３は、携帯電話機１から、例えば、Ｂｌｕｅｔｏｏｔｈ（ブルートゥース（登録商標））などの無線通信方式を用いて転送されたオーディオデータを受信し、リアルタイムに再生することができる。また、ヘッドセット３は、ハンズフリー制御により発着信時における呼制御を行うことができる。ヘッドセット３は、携帯電話機１に対して無線通信を介してリモート制御することができるリモコン（図示せず）を備える。なお、対向機器としては、ヘッドセット３以外に車載器などを用いるようにしてもよい。
【００１３】
図２は、本発明に係る情報処理装置の実施形態を示す携帯電話機の外観の構成を示す図である。図２（Ａ）は、携帯電話機１を約１８０度に開いた開状態のときの正面から見た外観の構成を示し、図２（Ｂ）は、携帯電話機１を開状態としたときの右側面から見た外観の構成を示す。
【００１４】
図２（Ａ）および（Ｂ）に示されるように、携帯電話機１は、中央のヒンジ部１１を境に第一の筐体１２と第二の筐体１３とがヒンジ結合されており、ヒンジ部１１を介して矢印Ｘ方向に折り畳み可能に形成される。携帯電話機１の内部の所定の位置には、送受信用のアンテナ（後述する図４のアンテナ３１）が設けられており、内蔵されたアンテナを介して基地局（図示せず）との間で電波を送受信する。
【００１５】
第一の筐体１２には、その表面に「０」から「９」の数字キー、発呼・応答キー、リダイヤルキー、終話・電源キー、クリアキー、およびメニューキーなどの操作キー１４が設けられており、操作キー１４を用いて各種指示を入力することができる。
【００１６】
第一の筐体１２の上部には、操作キー１４としての十字キー１６と確定キー１７が設けられている。十字キー１６には、上方向キー、下方向キー、右方向キー、左方向キーが設けられており、使用者が十字キー１６を上下左右方向に操作することによりメインディスプレイ２１に表示されたカーソルなどを上下左右方向に移動させることができる。また、確定キー１７を押下することにより、種々の機能を確定することができる。確定キー１７には、メインディスプレイ２１の下部に設けられた確定キー機能表示部２１ａに表示される処理も割り当てられる。
【００１７】
さらに、第一の筐体１２には、左ソフトキー１８および右ソフトキー１９が十字キー１６および確定キー１７の上部にそれぞれ設けられる。第一の筐体１２の側面には、携帯電話機１の操作を行うサイドキー２０が設けられる。左ソフトキー１８、右ソフトキー１９およびサイドキー２０は、第一の筐体１２の内部方向に押下されることによって、それぞれ所定の処理が割り当てられている。特に左ソフトキー１８および右ソフトキー１９は、メインディスプレイ２１の下部に設けられた左ソフトキー機能表示部２１ｂおよび右ソフトキー機能表示部２１ｃに表示される処理が割り当てられる。
【００１８】
第一の筐体１２には、操作キー１４の下部にマイクロフォン２２が設けられており、マイクロフォン２２によって通話時の使用者の音声を集音する。
【００１９】
なお、第一の筐体１２は、背面側に図示しないバッテリパックが挿着されており、終話・電源キーが押下されてオン状態になると、バッテリパックから各回路部に対して電力が供給されて動作可能な状態に起動する。
【００２０】
一方、第二の筐体１３には、その正面にメインディスプレイ２１が設けられており、電波の受信状態、電池残量の他、電子メールの内容、簡易ホームページなどを表示することができる。メインディスプレイ２１は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬ（ｉｎｏｒｇａｎｉｃ  ＥｌｅｃｔｒｏＬｕｍｉｎｅｓｃｅｎｃｅ）ディスプレイにより構成されるディスプレイである。
【００２１】
また、メインディスプレイ２１の上部の所定の位置にはレシーバ（受話器）２３が設けられており、これにより、使用者は音声通話することが可能である。なお、携帯電話機１の所定の位置には、レシーバ２３以外の音声出力部としてのスピーカ２５も設けられている。
【００２２】
図３は、本発明に係る情報処理装置の実施形態を示す携帯電話機の他の外観の構成を示す図である。図３の携帯電話機１は、図２の携帯電話機１の状態から矢印Ｘ方向に回動させた閉状態を構成する。図３（Ａ）は、携帯電話機１が閉状態のときの正面から見た外観の構成を示し、図３（Ｂ）は、携帯電話機１が閉状態のときの右側面から見た外観の構成を示す。
【００２３】
第二の筐体１３には、例えばＬＣＤで構成されるサブディスプレイ２４が設けられており、現在のアンテナの感度のレベルを示すアンテナピクト、携帯電話機１の現在の電池残量を示す電池ピクト、現在の時刻などが表示される。
【００２４】
図４は、本実施形態における携帯電話機の内部の構成を示す図である。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。
【００２５】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮／伸張処理部３７に入力される。
【００２６】
圧縮／伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとに対してそれぞれ復号処理を行う。
【００２７】
圧縮／伸張処理部３７のビデオコーデックにて復号されたディジタル動画信号は、制御部４１に入力される。制御部４１は、圧縮／伸張処理部３７から出力されたディジタル動画信号に基づく動画を、図示せぬビデオＲＡＭ（例えばＶＲＡＭなど）を介してメインディスプレイ２１に表示させる。
【００２８】
一方、通話モードにおいて、マイクロフォン２２に入力された話者（使用者）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮／伸張処理部３７に入力される。また、制御部４１にて作成された電子メールなどのテキストデータも圧縮／伸張処理部３７に入力される。
【００２９】
圧縮／伸張処理部３７は、ＰＣＭコーデック３８から出力されたディジタルオーディオ信号を所定の送信データレートに応じたフォーマットで圧縮符号化する。これにより、オーディオデータが生成される。また、圧縮／伸張処理部３７は、制御部４１から出力されたディジタル動画信号を圧縮符号化して動画データを生成する。そして、圧縮／伸張処理部３７は、これらのオーディオデータや動画データを図示せぬ多重分離部で所定の伝送フォーマットに従って多重化した後にパケット化し、パケット化後の送信パケットデータをＣＤＭＡ信号処理部３６に出力する。また、制御部４１から出力されたディジタル音声信号を伸張して復号化し、スピーカ２５から出力する機能も有する。なお、圧縮／伸張処理部３７は、符号化、復号化できないファイル方式（例えばＳＭＡＦ音などの音声画像処理部４９で処理されるファイル方式）が存在する。また、圧縮／伸張処理部３７によって処理されてスピーカ２５から出力するデータは同時にＢｌｕｅｔｏｏｔｈモジュール４８を用いて外部へ転送することができないという制限がある。
【００３０】
ＣＤＭＡ信号処理部３６は、圧縮／伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３１】
電源回路４４は、バッテリ４３の出力を元に所定の動作電源電圧Ｖｃｃを生成して各回路部に供給する。時計回路４５は、現在の正確な時刻を計測する。
【００３２】
また、メモリカードスロット４６は、メモリカードを着脱することが可能なスロットを備えている。メモリカード４７は、ＮＡＮＤ型フラッシュメモリカードやＮＯＲ型フラッシュメモリカードなどに代表されるフラッシュメモリカードの一種であり、１０ピン端子を介して画像や音声、音楽などの各種データの書き込みおよび読み出しが可能となっている。
【００３３】
さらに、携帯電話機１にはＢｌｕｅｔｏｏｔｈ（ブルートゥース（登録商標））による近距離無線通信を行うＢｌｕｅｔｏｏｔｈモジュール４８が設けられる。Ｂｌｕｅｔｏｏｔｈモジュール４８は、制御部４１の制御に基づき実行されるＢｌｕｅｔｏｏｔｈアプリケーションにより動作して、携帯電話機１の近傍に存在するヘッドセット３などと無線通信を行う。なお、Ｂｌｕｅｔｏｏｔｈ以外の近距離無線通信（例えば赤外線通信）を用いるようにしてもよい。
【００３４】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３５】
また、音声画像処理部４９は、制御部４１などに制御され、特定のファイル方式（例えばＳＭＡＦファイル）についての音声・画像データについて復号化処理が行われ、スピーカ２５から出力するための処理が行われる。なお、音声画像処理部４９は圧縮／伸張処理部３７とは異なり、音声画像処理部４９によって処理されてスピーカ２５から出力するデータは同時にＢｌｕｅｔｏｏｔｈモジュール４８を用いて外部へ転送することができる。
【００３６】
また、制御部４１は、対向機器としてのヘッドセット３との間でデータの授受を行う際に、例えばＯＢＥＸ（ＯＢｊｅｃｔ  ＥＸｃｈａｎｇｅ）やＲＦＣＯＭＭ（ＲＳ２３２  Ｓｅｒｉａｌ  Ｃａｂｌｅ  Ｅｍｕｌａｔｉｏｎ  Ｐｒｏｆｉｌｅ）、ＳＤＰ（Ｓｅｒｖｉｃｅ  Ｄｉｓｃｏｖｅｒｙ  Ｐｒｏｔｏｃｏｌ）などの通信プロトコルを用いて、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）やＨＦＰ（Ｈａｎｄｓ−Ｆｒｅｅ  Ｐｒｏｆｉｌｅ）、ＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）などの種々のプロファイルに応じたＢｌｕｅｔｏｏｔｈモジュール４８による通信を統括的に制御する。なお、これらの通信プロトコルやプロファイルは、上位のアプリケーションプログラムから下位の物理層まで順次積み重なったスタック構造をなしている。
【００３７】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。
【００３８】
なお、携帯電話機１は、ＨＦＰのプロファイルによる処理を行う際の機能として、移動通信網２を使用して音声通話の発信や着信などを行う機能であるオーディオゲートウェイ（ＡＧ）機能を有する。これに対し、ヘッドセット３は、ＨＦＰのプロファイルによる処理を行う際の機能として、ＡＧ機能を有するデバイスに音声通話の発信要求や着信応答、ハンズフリー通話などを行う機能であるハンズフリー（ＨＦ）機能を有する。
【００３９】
また、携帯電話機１は、Ａ２ＤＰなどのＡＶプロファイルによる処理を行う際の機能として、オーディオデータの送信を行う機能であるＳＲＣ（ソース）機能を有する。これに対し、ヘッドセット３は、ＡＶプロファイルによる処理を行う際の機能として、受信したオーディオデータをスピーカ２５などで鳴動する機能であるＳＮＫ（シンク）機能を有する。
【００４０】
携帯電話機１およびヘッドセット３は、以下に説明する通信処理においては、それぞれ上述した機能を適宜用いて処理を行う。すなわち、携帯電話機１は、ＨＦＰのプロファイルによる処理を行う際にはＡＧ機能を用い、ＡＶプロファイルによる処理を行う際にはＳＲＣ機能を用いる。同様に、ヘッドセット３は、ＨＦＰのプロファイルによる処理を行う際にはＨＦ機能を用い、ＡＶプロファイルによる処理を行う際にはＳＮＫ機能を用いる。
【００４１】
なお、以下に説明する携帯電話機１とヘッドセット３との間の通信処理における動作制御は、携帯電話機１では制御部４１が行い、ヘッドセット３ではヘッドセット３の有する制御部（図示せず）が行う。説明の便宜上、以下の説明においては逐次指摘せずに、各動作制御の主体（携帯電話機１またはヘッドセット３）のみを指摘して説明する。
【００４２】
本実施形態における携帯電話機１に通話着信が発生した場合の着信音鳴動処理について説明する。携帯電話機１は、通話着信発生時おける着信音鳴動処理に複数のモードを備える。まず、携帯電話機１には着信音をスピーカ２５などから出力させることにより着信通知を行う通常モードと、着信音の出力を行わずにバイブレータ（図示せず）の振動やＬＥＤ（図示せず）の照明などを用いて着信通知を行うマナーモードが設けられている。携帯電話機１は、例えばメインディスプレイ２１に表示された機能設定画面（図示せず）を介して、通常モードおよびマナーモードのうちいずれか一方の選択を操作キー１４を介して受け付けることにより、通話着信時の通知動作を設定することができる。
【００４３】
通話着信時に出力される着信音は、例えばメインディスプレイ２１に表示された機能設定画面を介して、記憶部４２やメモリカード４７などの携帯電話機１に設けられた記憶手段に記憶された音声データの中から選択されて設定される。着信音には、予め携帯電話機１に記憶された音声データや、ユーザによりネットワークサービスを利用してダウンロードされた所望の音声データが用いられる。携帯電話機１は、記憶部４２やメモリカード４７などに記憶された音声データの中から、ユーザによる選択を受け付けた一の音声データを全ての通話着信の通知音に共通して設定することができる。また、携帯電話機１は、音声着信の発信元や、予めアドレス帳に記憶されたグループ毎に異なる音声データを割り当てて通話着信の通知音を設定することができる。このように、着信音が自由度を持って設定可能なことから、ユーザは、携帯電話機１のメインディスプレイ２１やサブディスプレイ２４を確認することなく、着信音を聞き分けることで発信者や発信者の所属するグループを識別することができる点で有効である。以下、ユーザにより着信音として任意に設定された音声データを着信音データという。
【００４４】
本実施形態における携帯電話機１は、さらに対向機器としてのヘッドセット３との接続中においてもユーザに好適に通話着信を通知するための着信音鳴動処理として、３つのモードを備える。第１のモードは、携帯電話機１のみに鳴動処理を行わせるものである。第２のモードは、ヘッドセット３のみに鳴動処理を行わせるものである。第３のモードは、携帯電話機１とヘッドセット３との両方に鳴動処理を行わせるものである。これらの着信音鳴動処理のモードは、例えばメインディスプレイ２１に表示された機能設定画面を介して、３つのモードの中から一のモードの選択を操作キー１４を介して受け付けることにより、任意に設定することができる。
【００４５】
本実施形態における携帯電話機１は、携帯電話機１と対向機器としてのヘッドセット３との間の接続が確立中においてもヘッドセット３から着信音を出力し、好適に通話着信通知を行うことができるようになっている。以下、携帯電話機１とヘッドセット３との間のＢｌｕｅｔｏｏｔｈ接続が確立中において実行される着信音鳴動処理について具体的に説明する。
【００４６】
なお、以下図５乃至図７で説明する着信音鳴動処理は、携帯電話機１と対向機器としてのヘッドセット３とが何らかのプロファイルを利用してＢｌｕｅｔｏｏｔｈ接続が確立されている場合に実行される。着信音鳴動処理は、例えば携帯電話機１とヘッドセット３が所定の音声データの転送に利用されるプロファイル（例えばＡ２ＤＰ、ＨＦＰ）やＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）、ＤＵＮ（Ｄｉａｌ−Ｕｐ  Ｎｅｔｗｏｒｋｉｎｇ  Ｐｒｏｆｉｌｅ）、ＯＰＰ（Ｏｂｊｅｃｔ  Ｐｕｓｈ  Ｐｒｏｆｉｌｅ）を利用した接続中である場合に実行される処理として説明する。携帯電話機１とヘッドセット３との間にＢｌｕｅｔｏｏｔｈ接続が確立されていない場合においては、上述した通常モードやマナーモードによる着信音鳴動処理が携帯電話機１側のみにおいて実行される。また、携帯電話機１に通話着信が発生したタイミングで一時的に携帯電話機１とヘッドセット３との接続が解除されていた場合（リンクロスしていた場合）においても同様に、上述した通常モードやマナーモードによる着信音鳴動処理が携帯電話機１側のみにおいて実行される。また、以下に説明する着信音鳴動処理は前述した３つの着信音鳴動処理モードのうち、設定された着信音鳴動処理モードに応じて処理が異なる。
【００４７】
まず、携帯電話機１とヘッドセット３が接続中において実行される着信音鳴動処理のうち、第１のモードである携帯電話機１のみに鳴動処理を行わせる設定がなされているときの着信音鳴動処理について説明する。
【００４８】
図５は、本実施形態における携帯電話機により実行される携帯電話機のみにおいて鳴動処理を行う第１の着信音鳴動処理を説明するフローチャートである。
【００４９】
ステップＳ１において、携帯電話機１の制御部４１は、アンテナ３１を介して通話着信の発生を検出したか否かの判定を行う。携帯電話機１の制御部４１は、通話着信を検出するまで処理の実行を待機する。
【００５０】
携帯電話機１の制御部４１は、着信判定ステップＳ１において通話着信を検出した場合、ステップＳ２において、通話着信発生時に携帯電話機１側で実行される着信音鳴動処理の現在の設定モードがマナーモードであるか、通常モードであるかの判定を行う。携帯電話機１の制御部４１は、通常モードが設定されていると判定した場合、ステップＳ３において携帯電話機１のスピーカ２５より予め着信音として設定された着信音データの出力を行う（このときの着信音データは設定されたファイルに応じて圧縮／伸張処理部３７または音声画像処理部４９を介して処理が行われる）。このとき、携帯電話機１の制御部４１は、バイブレータの振動やＬＥＤの照明などを利用した着信通知を併せて行わせるようにしてもよい。
【００５１】
一方、携帯電話機１の制御部４１は、モード設定判定ステップＳ２においてマナーモードが設定されていると判定した場合、ステップＳ４において、マナーモードの設定に基づく着信通知を行う。例えば、携帯電話機１の制御部４１は、着信音の出力は行わないように制御し、バイブレータの振動やＬＥＤの照明などを利用した着信通知を行う。このとき、携帯電話機１にイヤホン（図示せず）が装着されていた場合には、マナーモードであるか否かにかかわらず、イヤホンを介して予め着信音として設定された着信音データの出力を行ってもよい。この場合、周囲には着信音が聞こえず、マナーモードとしての仕様を満たすことができる。
【００５２】
なお、携帯電話機１の制御部４１は、着信音出力ステップＳ３およびマナー着信通知ステップＳ４における通話着信の通知後、着信中に定期的に通知されるＲＩＮＧ通知をヘッドセット３に対して送信する。
【００５３】
ステップＳ５において、携帯電話機１の制御部４１は、ヘッドセット３または携帯電話機１の操作キー１４より着信応答要求を受信したか否かの判定を行う。着信応答要求は、例えばヘッドセット３に設けられたリモコン（図示せず）が着信応答の入力を受け付けた場合や、操作キー１４の通話応答のためのキーが押下された場合に生成される。ヘッドセット３は、生成された着信応答要求を携帯電話機１に送信する。携帯電話機１の制御部４１は、ヘッドセット３より着信応答要求を受信したことを検知するか、携帯電話機１の操作キー１４の通話応答のためのキーが押下されたと検知するまで処理の実行を待機する。
【００５４】
携帯電話機１の制御部４１は、受信判定ステップＳ５において着信応答要求を受け付けたと判定した場合、ステップＳ６において、着信音出力ステップＳ３においてスピーカ２５により出力されている着信音データの出力を停止する。または、携帯電話機１の制御部４１は、着信通知ステップＳ４において実行されていた着信通知を停止するように制御する。
【００５５】
ステップＳ７において、通話着信の発信元との通話処理を開始する。また、携帯電話機１の制御部４１は、ヘッドセット３に通話開始通知を送信するように制御する。ヘッドセット３は、携帯電話機１より送信された通話開始通知を受信し、携帯電話機１を介した通話処理を開始する。以上で携帯電話機１により実行される第１の着信音鳴動処理の説明を終了する。
【００５６】
次に、携帯電話機１とヘッドセット３が接続中において実行される着信音鳴動処理のうち、第２のモードであるヘッドセット３のみに鳴動処理を行わせる設定がなされているときの着信音鳴動処理について説明する。
【００５７】
図６は、本実施形態における携帯電話機により実行されるヘッドセットのみに鳴動処理を行わせる第２の着信音鳴動処理を説明するフローチャートである。
【００５８】
ステップＳ１１において、携帯電話機１の制御部４１は、アンテナ３１を介して通話着信の発生を検出したか否かの判定を行う。携帯電話機１の制御部４１は、通話着信を検出するまで処理の実行を待機する。
【００５９】
携帯電話機１の制御部４１は、着信判定ステップＳ１１において通話着信を検出した場合、ステップＳ１２において、携帯電話機１とヘッドセット３との間で確立しているＢｌｕｅｔｏｏｔｈ接続が、ＨＦＰおよびＡ２ＤＰの少なくとも一方のプロファイルを利用した接続であるか否かの判定を行う。携帯電話機１は、携帯電話機１とヘッドセット３との間でＨＦＰおよびＡ２ＤＰの少なくとも一方のプロファイルを利用した接続が確立されておらず、ＨＦＰおよびＡ２ＤＰ以外のプロファイル（例えばＡＶＲＣＰ）を利用した接続が確立されていると判定した場合、図５のモード設定ステップＳ２に進む。すなわち、携帯電話機１の制御部４１は、ヘッドセット３に着信通知音としての音声データを転送することなく、通常モードやマナーモードによる着信音鳴動処理が携帯電話機１側のみにおいて実行するように制御する。
【００６０】
携帯電話機１の制御部４１は、接続判定ステップＳ１２において携帯電話機１とヘッドセット３との間で確立しているＢｌｕｅｔｏｏｔｈ接続が、ＨＦＰおよびＡ２ＤＰの少なくとも一方のプロファイルを利用した接続であると判定した場合、ステップＳ１３において、ユーザにより着信音として任意に設定された音声データである着信音データが、ヘッドセット３において再生可能な音声データであるか否かの判定を行う。音声データには、著作権保護の観点から、特定の機器のみで再生可能とされているものがある。例えば、携帯電話機１に挿着されたメモリカード４７には、記憶されたデータの利用がこのメモリカード４７と対応付けられた機器（携帯電話機）でのみ利用可能な機能（例えばＳＤ−Ｂｉｎｄｉｎｇ（ＳＤバインディング）機能）を有しているものがあり、このメモリカード４７に記憶された音声データなどがヘッドセット３において再生不可能な音声データに該当する。また、技術的な理由から、ヘッドセット３に転送不可能な音声データ（例えばＤＴＭＦ（Ｄｕａｌ−Ｔｏｎｅ  Ｍｕｌｔｉ−Ｆｒｅｑｕｅｎｃｙ）音）も、ヘッドセット３において再生不可能な音声データに該当する。携帯電話機１は、これらのヘッドセット３において再生不可能な音声データが、着信音データとして設定されているか否かの判定を行う。なお、再生不可能な音声データか否かの判断については、記憶されたデータがデジタルコピー可能か否かの判断でもよい。
【００６１】
また、ＳＤ−Ｂｉｎｄｉｎｇ対象のデータか否か、デジタルコピー可能か否か、ＤＴＭＦ音か否かについては、ファイルのヘッダ等に記載されており、その情報を読み込むことで判断するようにするのがよい。
【００６２】
携帯電話機１の制御部４１は、データ判定ステップＳ１３において着信音データがヘッドセット３において再生可能な音声データであると判定した場合、ステップＳ１４において、圧縮／伸張処理部３７または音声画像処理部４９に対して着信音データをＢｌｕｅｔｏｏｔｈの所定のフォーマットに変換するように制御し、Ｂｌｕｅｔｏｏｔｈモジュール４８からヘッドセット３に転送するように制御する。
【００６３】
一方、携帯電話機１の制御部４１は、データ判定ステップＳ１３において着信音データがヘッドセット３において再生不可能な音声データであると判定した場合、ステップＳ１５において、圧縮／伸張処理部３７または音声画像処理部４９に対して代替音データをＢｌｕｅｔｏｏｔｈの所定のフォーマットに変換するように制御し、Ｂｌｕｅｔｏｏｔｈモジュール４８からヘッドセット３に転送するように制御する。ここで、携帯電話機１の記憶部４２やメモリカード４７などの記憶手段には、予め設定された着信音データがヘッドセット３において再生不可能な音声データであった場合にヘッドセット３で出力する着信音として使用される、代替音データが記憶されている。代替音データは、予め携帯電話機１に記憶された固定音データを採用してもよいし、ユーザにより任意に設定された固定の音声データであってもよい。
【００６４】
なお、着信音転送ステップＳ１４および代替音転送ステップＳ１５において、携帯電話機１の制御部４１は、圧縮／伸張処理部３７または音声画像処理部４９に対して着信音データおよび代替音データを所定のフォーマットに変換するように制御して、Ｂｌｕｅｔｏｏｔｈモジュール４８からＨＦＰまたはＡ２ＤＰのプロファイルを利用してヘッドセット３に転送するように制御する。このとき、ＨＦＰおよびＡ２ＤＰのプロファイルを利用した接続が同時に確立している場合には、携帯電話機１の制御部４１は、予め着信音（代替音）データを転送する際に利用するプロファイルをいずれかに設定しておく。例えば、携帯電話機１の制御部４１は、ＨＦＰをＡ２ＤＰより優先的に利用して着信音データを転送するように予め設定しておく。
【００６５】
ヘッドセット３は、携帯電話機１より転送された着信音データまたは代替音データを出力し、ユーザに通話着信が発生した旨を通知する。また、携帯電話機１の制御部４１は、着信音転送ステップＳ１４または代替音転送ステップＳ１５における着信音データおよび代替音データの転送の制御を開始した後、着信鳴動中に定期的に通知されるＲＩＮＧ通知をヘッドセット３に対して送信するように制御する。
【００６６】
ステップＳ１６において、携帯電話機１の制御部４１は、ヘッドセット３より着信応答要求を受信したかまたは携帯電話機１の操作キー１４が押下されて着信応答要求を受信したか否かの判定を行う。携帯電話機１の制御部４１は、ヘッドセット３または携帯電話機１の操作キーによる着信応答要求を受信するまで処理の実行を待機する。
【００６７】
携帯電話機１の制御部４１は、受信判定ステップＳ１６において着信応答要求を受け付けたと判定した場合、ステップＳ１７において、着信音転送ステップＳ１４および代替音転送ステップＳ１５において開始した着信音データおよび代替音データの転送を停止するように圧縮／伸張処理部３７または音声画像処理部４９、Ｂｌｕｅｔｏｏｔｈモジュール４８を制御する。ステップＳ１８において、携帯電話機１は通話着信の発信元との通話処理を開始する。以上で携帯電話機１により実行される第２の着信音鳴動処理の説明を終了する。
【００６８】
なお、着信音転送ステップＳ１４および代替音転送ステップＳ１５における着信音データおよび代替音データの転送開始後、携帯電話機１とヘッドセット３との接続が解除された場合（リンクロスした場合）、携帯電話機１の制御部４１は、Ｂｌｕｅｔｏｏｔｈモジュール４８に対して携帯電話機１からヘッドセット３への転送を中断する。このとき、携帯電話機１は、ヘッドセット３のみにおいて着信音鳴動処理を行うモードに設定したユーザの意図を反映するため、携帯電話機１のスピーカ２５などから着信音の出力を行わない。また、再度接続が確立された場合においても、着信音データや代替音データの転送は行わない。これらは、ユーザがあえて第２のモード（携帯電話機１側で鳴動しない）に設定をしていることから、突然携帯電話機１側で鳴動を行わないようにするためである。
【００６９】
また、着信判定ステップＳ１１において、携帯電話機１とヘッドセット３とがＨＦＰやＡ２ＤＰなどのプロファイルで接続されていない場合においては（ＨＦＰやＡ２ＤＰ以外のプロファイルで接続されている場合や、そもそもＢｌｕｅｔｏｏｔｈの接続がされていない場合）には、携帯電話機１の制御部４１は、携帯電話機１側のモード（通常モードかマナーモードか）に応じて着信音の出力またはバイブレータの振動やＬＥＤの照明などを行うように制御する。
【００７０】
次に、携帯電話機１とヘッドセット３が接続中において実行される着信音鳴動処理のうち、第３のモードである携帯電話機１とヘッドセット３との両方に鳴動処理を行わせる設定がなされているときの着信音鳴動処理について説明する。
【００７１】
図７は、本実施形態における携帯電話機により実行される携帯電話機およびヘッドセットに鳴動処理を行わせる第３の着信音鳴動処理を説明するフローチャートである。
【００７２】
ステップＳ２１において、携帯電話機１の制御部４１は、アンテナ３１を介して通話着信の発生を検出したか否かの判定を行う。携帯電話機１の制御部４１は、通話着信を検出するまで処理の実行を待機する。
【００７３】
携帯電話機１の制御部４１は、着信判定ステップＳ２１において通話着信を検出した場合、ステップＳ２２において、携帯電話機１とヘッドセット３との間で確立しているＢｌｕｅｔｏｏｔｈ接続が、ＨＦＰのプロファイルを利用した接続であるか否かの判定を行う。
【００７４】
携帯電話機１の制御部４１は、携帯電話機１とヘッドセット３との間でＨＦＰのプロファイルを利用した接続が確立されていると判定した場合、ステップＳ２３において、第１の代替音データ（例えばファイル方式がＳＭＡＦであるファイル）を音声画像処理部４９に対してＢｌｕｅｔｏｏｔｈの所定のフォーマットに変換するように制御し、Ｂｌｕｅｔｏｏｔｈモジュール４８に対してヘッドセット３に転送するように制御する。
【００７５】
ヘッドセット３は、携帯電話機１より転送された第１の代替音データを出力し、ユーザに通話着信が発生した旨を通知する。また、携帯電話機１は、代替音転送ステップＳ２３における第１の代替音データの転送開始後、着信鳴動中に定期的に通知されるＲＩＮＧ通知をヘッドセット３に対して送信する。
【００７６】
この第１の代替音データは、記憶部４２やメモリカード４７などの携帯電話機１に設けられた記憶手段に記憶された音声データである。第１の代替音データは、予め携帯電話機１に記憶された固定音データを採用してもよいし、ユーザにより任意に設定された固定の音声データであってもよいが、音声画像処理部４９によって復号化可能な音声データであることが望ましい。
【００７７】
ステップＳ２４において、携帯電話機１の制御部４１は、通話着信発生時に携帯電話機１において実行される着信音鳴動処理の現在の設定モードがマナーモードであるか、通常モードであるかの判定を行う。
【００７８】
携帯電話機１の制御部４１は、携帯電話機１において実行される着信音鳴動処理の現在の設定モードがマナーモードではなく通常モードが設定されていると判定した場合、ステップＳ２５において、スピーカ２５より第１の代替音データの出力を行うように音声画像処理部４９を制御する。このとき携帯電話機１のスピーカ２５より出力される音声データは、第１の代替音転送ステップＳ２３においてヘッドセット３に転送された音声データと同一の音声データである第１の代替音データである。
【００７９】
一方、携帯電話機１の制御部４１は、モード設定判定ステップＳ２４においてマナーモードが設定されていると判定した場合、ステップＳ２６において、マナーモードの設定に基づく着信通知を行うように制御する。例えば、携帯電話機１は、着信音の出力は行わず、バイブレータの振動やＬＥＤの照明などを利用した着信通知を行う。このとき、携帯電話機１にイヤホンが装着されていた場合には、マナーモードであるか否かにかかわらず、イヤホンを介して予め着信音として設定された着信音データの出力を行ってもよい。
【００８０】
携帯電話機１の制御部４１は、接続判定ステップＳ２２において、携帯電話機１とヘッドセット３との間でＨＦＰのプロファイルを利用した接続が確立されていないと判定した場合、ステップＳ２７において、携帯電話機１とヘッドセット３との間で確立しているＢｌｕｅｔｏｏｔｈ接続がＡ２ＤＰのプロファイルを利用した接続であるか否かの判定を行う。携帯電話機１の制御部４１は、携帯電話機１とヘッドセット３との間でＡ２ＤＰのプロファイルを利用した接続が確立されておらず、ＨＦＰおよびＡ２ＤＰ以外のプロファイル（例えばＡＶＲＣＰ）を利用した接続が確立されていると判定した場合、図５のモード設定ステップＳ２に進む。すなわち、携帯電話機１の制御部４１は、ヘッドセット３に着信通知音としての音声データの転送制御をＢｌｕｅｔｏｏｔｈモジュール４８に対しておこなうことなく、携帯電話機１のみにおいて通常モードやマナーモードによる着信音鳴動処理を行うように制御される。
【００８１】
一方、携帯電話機１の制御部４１は、携帯電話機１とヘッドセット３との間でＡ２ＤＰのプロファイルを利用した接続が確立されていると判定した場合、ステップＳ２８において、圧縮／伸張処理部３７（または音声画像処理部４９でもよい）に対して第１の代替音データとは異なる第２の代替音データをＢｌｕｅｔｏｏｔｈの所定のフォーマットに変換するように制御して、Ｂｌｕｅｔｏｏｔｈモジュール４８に対してヘッドセット３に転送するように制御する。
【００８２】
ヘッドセット３は、携帯電話機１より転送された第２の代替音データを出力し、ユーザに通話着信が発生した旨を通知する。
【００８３】
この第２の代替音データは、記憶部４２やメモリカード４７などの携帯電話機１に設けられた記憶手段に記憶された音声データである。第２の代替音データは、予め携帯電話機１に記憶された固定音データを採用してもよいし、ユーザにより任意に設定された固定の音声データであってもよい。また、第２の着信音鳴動処理で用いられた代替音データおよび第１代替音声転送ステップＳ２３でヘッドセット３に転送された第１の代替音データと同一の音声データであってもよい。
【００８４】
ステップＳ２９において、携帯電話機１の制御部４１は、通話着信発生時に携帯電話機１において実行される着信音鳴動処理の現在の設定モードがマナーモードであるか、通常モードであるかの判定を行う。
【００８５】
携帯電話機１の制御部４１は、携帯電話機１において実行される着信音鳴動処理の現在の設定モードがマナーモードではなく通常モードが設定されていると判定した場合、ステップＳ３０において、携帯電話機１のスピーカ２５より予め着信音として設定された着信音データの出力を行うように制御する。
【００８６】
一方、携帯電話機１の制御部４１は、モード設定判定ステップＳ２９においてマナーモードが設定されていると判定した場合、ステップＳ３１において、マナー着信通知ステップＳ２６と同様にマナーモードの設定に基づく着信通知を行うように制御する。
【００８７】
なお、ステップＳ２５またはステップＳ２６の後と、ステップＳ３０またはステップＳ３１の後とにおいて、携帯電話機１においては第１の代替音または着信音データの出力（またはマナーモード設定に基づく着信通知）による着信通知が行われている。また、ヘッドセット３においては、携帯電話機１より転送された第１または第２の代替音データの出力による着信通知が行われている。
【００８８】
一般にＨＦＰのプロファイルを利用して携帯電話機１とヘッドセット３とが接続される場合、ユーザは携帯電話機１とヘッドセット３との双方から出力される音声が聞こえる状況（例えばヘッドセット３を用いてハンズフリー通話を行う用途など）で使用される可能性が高い。そのため、同一の第１の代替音データを出力することで、携帯電話機１とヘッドセット３との双方が異なる音声が出力されることによるユーザの混乱を避けることができる。また、音声画像処理部４９で復号化可能な音声データである必要があるのは、圧縮／伸張処理部３７で処理される音声データは、前述の通りスピーカ２５による出力と同時にＢｌｕｅｔｏｏｔｈモジュール４８による外部への転送が行えないからである。
【００８９】
一方、Ａ２ＤＰのプロファイルを利用して携帯電話機１とヘッドセット３とが接続される場合、ユーザはヘッドセット３から出力される音声を中心に聞こえる状況で使用される可能性が高い（例えば、ヘッドセット３をヘッドフォンとして使用する用途など）。そのため、ＨＦＰのプロファイルを利用しているときとは異なり、たとえ異なる音声データ（携帯電話機１：着信音データ、ヘッドセット３：第２の代替音データ）が出力されたとしても、特にユーザの混乱が生じる可能性は低い。
【００９０】
ステップＳ３２において、携帯電話機１の制御部４１は、ヘッドセット３より受信する、または携帯電話機１の操作キー１４の押下により生じる着信応答要求を受信したか否かの判定を行う。携帯電話機１の制御部４１は、ヘッドセット３または操作キー１４の押下により生じる着信応答要求を受信するまで処理の実行を待機する。
【００９１】
携帯電話機１の制御部４１は、受信判定ステップＳ３２において着信応答要求を受け付けたと判定した場合、ステップＳ３３において、第１の代替音転送ステップＳ２３または第２の代替音転送ステップＳ２８においてヘッドセット３に転送を開始した第１または第２の代替音データの転送を停止するように圧縮／伸張処理部３７または音声画像処理部４９とＢｌｕｅｔｏｏｔｈモジュール４８を制御する。また、携帯電話機１の制御部４１は、第１の代替音出力ステップＳ２５または着信音出力ステップＳ３０においてスピーカ２５より出力されている第１の代替音データまたは着信音データの出力を停止するように圧縮／伸張処理部３７または音声画像処理部４９を制御する。または、携帯電話機１の制御部４１は、マナー着信通知ステップＳ２６またはステップＳ３１において実行されていた着信通知を停止するように制御する。
【００９２】
ステップＳ３４において、携帯電話機１の制御部４１は通話着信の発信元との通話処理を開始する。以上で携帯電話機１により実行される第３の着信音鳴動処理の説明を終了する。
【００９３】
なお、この第３の着信音鳴動処理で、携帯電話機１とヘッドセット３との間でＨＦＰプロファイルおよびＡ２ＤＰプロファイルの双方によって接続されていた場合には、ステップＳ２２においてＹｅｓの方向へ分岐するため、ＨＦＰプロファイルによって接続されているときの処理が優先して行われる。
【００９４】
この携帯電話機１によれば、携帯電話機１と対向機器としてのヘッドセット３との間で接続が確立中において通話着信が発生した場合、ヘッドセット３のみから着信音の出力を行う設定がなされていた場合であっても、ユーザにより任意に設定された着信音をヘッドセット３を介して出力することができる。このため、ユーザは携帯電話機１のメインディスプレイ２１やサブディスプレイ２４を確認することなく、着信音を聞き分けることで発信者や発信者の所属するグループを識別することができる。
【００９５】
また、携帯電話機１は、ユーザが任意に設定した着信音がヘッドセット３において再生可能であるか否かを判断し、再生不可能な音声データであった場合には代替の音声データを出力して着信通知を行うことができる。このため、ユーザがヘッドセット３より着信音の出力を行うことを意図したにもかかわらず、着信時には着信音の再生ができないということを回避することができ、ヘッドセット３においても好適に着信音の鳴動処理を行うことができる。
【００９６】
さらに、携帯電話機１にはヘッドセットとＢｌｕｅｔｏｏｔｈ接続が確立中における着信音鳴動処理を三つのモードから選択して設定することができるため、ユーザ個々の使用状況に応じた着信音鳴動処理を実行させることができる。
【００９７】
図６の第２の着信音鳴動処理および図７の第３の着信音鳴動処理においては、携帯電話機１とヘッドセット３との間でＨＦＰおよびＡ２ＤＰの少なくとも一方のプロファイルを利用した接続が確立している場合において通話着信が発生した場合に実行される着信音鳴動処理について説明したが、ＨＦＰプロファイルを利用した接続は確立しておらずＡ２ＤＰを利用した接続が確立されている場合には、携帯電話機１は、通話着信発生後に所定のタイミングでＨＦＰのプロファイルを利用した接続を確立する処理を行う。
【００９８】
また、第１乃至第３の着信音鳴動処理の開始時において、携帯電話機１とヘッドセットとの間に例えばＡ２ＤＰのプロファイルを利用した接続が確立されており、携帯電話機１から音楽コンテンツが転送されていた場合には、通話処理の開始のタイミングなどにおいて、適宜音楽コンテンツの転送を中断させてもよい。
【００９９】
また、本実施形態においては、携帯電話機１に通話着信が発生した場合の着信音鳴動処理について説明したが、通話着信の通知に伴う鳴動処理のみならず、電子メールの着信や、アラーム時刻の到来などの通知を行うための鳴動処理に適用してもよい。電子メールの着信やアラーム時刻の到来など、携帯電話機１においてユーザ任意の通知音を設定することができる鳴動処理に関しては、上述した着信音と同様にユーザが通知音を聞き分けることで、電子メールの着信やアラーム時刻の到来を認識することができるため、有効である。
【０１００】
なお、本発明は上述した実施形態に限定されるものではなく、本発明の要旨の範囲内で種々の変形および応用が可能である。
【０１０１】
また、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題を解決することができ、発明の効果として述べられている効果が得られる場合には、この構成要件が削除された構成も発明として抽出され得る。
【０１０２】
さらに、本発明は携帯電話機以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の情報処理装置にも適用することができる。
【０１０３】
また、本発明の各実施形態において説明した一連の処理は、ソフトウェアにより実行させることもできるが、ハードウェアにより実行させることもできる。
【０１０４】
さらに、本発明の実施形態では、フローチャートのステップは記載された順序に沿って時系列的に行われる処理の例を示したが、必ずしも時系列的に処理されなくとも、並列的あるいは個別実行される処理をも含むものである。
【図面の簡単な説明】
【０１０５】
【図１】本実施形態におけるシステムの構成を示すブロック図。
【図２】本発明に係る情報処理装置の実施形態を示す携帯電話機の外観の構成を示す図。
【図３】本発明に係る情報処理装置の実施形態を示す携帯電話機の他の外観の構成を示す図。
【図４】本実施形態における携帯電話機の内部の構成を示す図。
【図５】本実施形態における携帯電話機により実行される携帯電話機のみにおいて鳴動処理を行う第１の着信音鳴動処理を説明するフローチャート。
【図６】本実施形態における携帯電話機により実行されるヘッドセットのみに鳴動処理を行わせる第２の着信音鳴動処理を説明するフローチャート。
【図７】本実施形態における携帯電話機により実行される携帯電話機およびヘッドセットに鳴動処理を行わせる第３の着信音鳴動処理を説明するフローチャート。
【符号の説明】
【０１０６】
１  携帯電話機
２  移動通信網
３  ヘッドセット
１１  ヒンジ部
１２  第一の筐体
１３  第二の筐体
１４  操作キー
１８  左ソフトキー
１９  右ソフトキー
２０  サイドキー
２１  メインディスプレイ
２２  マイクロフォン
２３  レシーバ
２４  サブディスプレイ
３１  アンテナ
４１  制御部
４２  記憶部
４６  メモリカードスロット
４７  メモリカード
４８  Ｂｌｕｅｔｏｏｔｈモジュール
４９  音声画像処理部
【図１】
2010068479.tif 000003
【図２】
2010068479.tif 000004
【図３】
2010068479.tif 000005
【図４】
2010068479.tif 000006
【図５】
2010068479.tif 000007
【図６】
2010068479.tif 000008
【図７】
2010068479.tif 000009